(57)【要約】【課題】補助トレイが回動する排紙トレイにおいて、補助トレイを収容位置に固定できる排紙トレイを提供する。【解決手段】排紙トレイは、主トレイ２と、回動可能に主トレイ２に支持された補助トレイを備える。補助トレイは、回動軸３１を有する。補助トレイは、回動軸３１が形成された側と反対側の端部に形成された凸部を有する。主トレイ２は、凸部に嵌合するように形成された凹部を有する。支持部２７は、凸部が凹部に嵌合した状態で回動軸３１を支持するように形成されている。開口部２６の内面３５は、凸部が凹部から離れた状態で回動軸３１を支持するように形成されている。補助トレイを平行移動させることにより、回動軸３１が、矢印５６に示すように往来可能に形成されている。【選択図】図４
2007186293.tif 000002
【特許請求の範囲】
【請求項１】
装置本体と、
前記装置本体から外側に向かって一の側に飛び出すように形成された排紙トレイと
を備え、
前記排紙トレイは、主トレイと、
前記主トレイの前記一の側の端部の一部を含む位置に配置された補助トレイと
を備え、
前記主トレイは、主表面から凹むように形成され、前記補助トレイを内側に配置するための収容部を有し、
前記主トレイは、前記収容部の前記一の側と反対側の端部に、前記反対側に向かって凹む凹部を有し、
前記補助トレイは、前記凹部に嵌合するように形成された凸部を有し、
前記補助トレイは、端部に形成された回動軸を有し、
前記主トレイは、前記一の側の端部に前記回動軸を挿入するための開口部を有し、
前記主トレイは、前記開口部に配置され、前記回動軸を支持するための支持部を含み、
前記支持部は、前記回動軸の形状に沿うように断面形状が略半円状に形成された係合部と、
前記主トレイの本体から延びるように形成され、前記係合部を支持する延在部と
を有し、
前記支持部は、前記略半円状の開口が前記開口部の内側に向かって配置され、
前記支持部は、前記開口部の外側に向かって湾曲可能に形成され、
前記開口部は、前記開口部の内面と前記支持部の外面とで前記回動軸を支持できるように形成され、
前記補助トレイを前記収容部に収容するときには、前記回動軸が前記係合部に配置され、前記凹部に前記凸部が嵌合することによって前記補助トレイが前記主トレイに固定され、
前記補助トレイを展開するときには、前記補助トレイを前記一の側に向かって平行移動させることにより、前記凸部が前記凹部から脱し、さらに、前記回動軸が前記係合部から離れて前記内面と前記外面との間に配置され、前記補助トレイが回動するように形成された、プリンタ装置。
【請求項２】
装置本体から外側に向かって一の側に飛び出すように配置される主トレイと、
回動可能に前記主トレイに支持された補助トレイと
を備え、
前記補助トレイは、端部に形成された回動軸と、
前記回動軸が形成された側と反対側の端部に形成された第１嵌合部と
を有し、
前記主トレイは、前記第１嵌合部に嵌合するように形成された第２嵌合部を有し、
前記第２嵌合部は、前記補助トレイの主表面と前記主トレイの主表面とが略平行になる状態で、前記補助トレイを前記一の側と反対側に移動することにより前記第１嵌合部に嵌合するように形成され、
前記主トレイは、前記一の側の端部に形成され、前記回動軸を支持するための第１支持手段と、
前記第１支持手段よりも前記一の側に形成され、前記回動軸を支持するための第２支持手段と
を含み、
前記第１支持手段は、前記第１嵌合部が前記第２嵌合部に嵌合した状態で前記回動軸を支持するように配置され、
前記第２支持手段は、前記第１嵌合部が前記第２嵌合部から離れた状態で前記回動軸を支持するように配置され、
前記第１支持手段と前記第２支持手段との間を、前記回動軸が往来可能に形成された、用紙トレイ。
【請求項３】
前記主トレイは、前記回動軸を挿入するための開口部を含み、
前記第１支持手段は、前記回動軸を支持するための支持部を含み、
前記第２支持手段は、前記開口部の内面および前記支持部の外面を含み、
前記支持部は、前記開口部の内側に配置され、
前記支持部は、前記開口部の外側に向かって湾曲するように弾性を有する、請求項２に記載の用紙トレイ。
【請求項４】
前記支持部は、断面形状が略半円状の係合部と、
前記主トレイの本体から延びるように形成され、前記係合部を支持する延在部と
を有し、
前記支持部は、前記略半円状の開口が前記開口部の内側に向かうように配置された、請求項３に記載の用紙トレイ。
【請求項５】
前記主トレイは、主表面から凹むように形成され、前記補助トレイを内側に配置するための収容部を有し、
前記第１嵌合部は、前記反対側に向かって突出する凸部を有し、
前記第２嵌合部は、前記収容部の前記反対側の端部に、前記反対側に向かって凹む凹部を有する、請求項２から４のいずれかに記載の用紙トレイ。
【請求項６】
前記回動軸は、断面形状が楕円になるように形成され、
前記回動軸は、前記主トレイの主表面と前記補助トレイの主表面とがほぼ平行な状態で、前記楕円の短軸が前記主トレイの主表面と略平行になるように形成された、請求項２から５のいずれかに記載の用紙トレイ。
【請求項７】
前記補助トレイは、貫通穴を有し、
前記主トレイは、前記主トレイの主表面と前記補助トレイの主表面とがほぼ平行な状態で、前記貫通穴の位置に対応するように形成された窪み部を有する、請求項２から６のいずれかに記載の用紙トレイ。
【発明の詳細な説明】
【技術分野】
【０００１】
本発明は、用紙トレイおよびこれを備えたプリンタ装置に関する。
【背景技術】
【０００２】
プリンタ装置やファックス装置などは、紙などの被印刷物を装置本体に供給するために用紙トレイを備える。用紙トレイの中には、装置本体から外側に突出するように配置されるものがある。この用紙トレイは、平板状に形成され、主表面に紙などが載置される。
【０００３】
このような平板状の用紙トレイの中には、用紙を載置するための面積を大きくするために主トレイに加えて、補助トレイを備えるものがある。補助トレイは、主に大きな被印刷物を用いるときに使用される。補助トレイは、主トレイの内部にスライド可能に収容されたり、一の端部を回動軸として回動可能に形成されていたりする。
【０００４】
図１２および図１３を参照して、従来の技術に基づくプリンタ装置および用紙トレイについて説明する。
【０００５】
図１２は、従来の技術に基づくプリンタ装置の斜視図である。プリンタ装置は、装置本体４を備える。装置本体４の内部には、たとえば、インクジェットヘッドが配置され、インクジェットヘッドから紙などの被印刷物に向けてインクが吐出されることにより印刷が行なわれる。
【０００６】
プリンタ装置は、給紙トレイ５を備える。給紙トレイ５は、印刷を行なう被印刷物を載置するためのトレイである。給紙トレイ５は、装置本体４の後部に配置されている。給紙トレイ５は、主表面が鉛直方向に対して傾斜するように配置されている。給紙トレイ５は、矢印５３に示すように、装置本体４に着脱可能に形成されている。
【０００７】
プリンタ装置は、排紙トレイ４１を備える。排紙トレイ４１は、印刷された被印刷物を載置するためのトレイである。排紙トレイ４１は、矢印５４に示すように、装置本体４に着脱可能に形成されている。排紙トレイ４１は、突起部４４が装置本体４に形成された係止部と係合することにより、装置本体４に固定される。排紙トレイ４１は、主表面が水平方向とほぼ平行になるように配置されている。
【０００８】
排紙トレイ４１は、主トレイ４２および補助トレイ４３を含む。主トレイ４２および補助トレイ４３は、それぞれが板状に形成されている。補助トレイ４３は、主トレイに対して回動可能に形成されている。図１２に示す状態においては、補助トレイ４３が主トレイ４２に収納された状態である。
【０００９】
図１３に、従来の技術に基づく排紙トレイの斜視図を示す。図１３に示す状態においては、主トレイ４２から補助トレイ４３が展開されている。主トレイ４２は、主表面に収容部４５を有する。収容部４５は、主トレイ４２の主表面から凹むように形成されている。補助トレイ４３は、矢印５５に示すように回動可能に形成されている。
【００１０】
印刷を行なう被印刷物が大型の場合には、図１３に示すように補助トレイ４３を展開する。印刷を行なう被印刷物が小型の場合には、補助トレイ４３を収容部４５に収容する。補助トレイ４３が収容部４５に収容されることによって、主トレイ４２の表面と補助トレイ４３の表面とが同一平面状になるように形成されている。
【００１１】
特開平３−１３８２５９号公報においては、像支持体に対して像形成を行なう像形成手段を内蔵した装置本体と、この装置本体の上面に形成され、装置本体外に排出された像支持体を収容する第１の排紙トレイと、第１の排紙トレイに収容された第１の位置と第１の排紙トレイから突出する第２の位置に変位可能に設けられ、第１の排紙トレイから突出する像支持体を支持する第２の排紙トレイを備えた画像形成装置が開示されている。
【００１２】
この画像形成装置によれば、装置の使用時には、第２の排紙トレイを第１の排紙トレイから突出する第２の位置に変位させることにより、排紙トレイの支持面積を必要量の大きさとすることが可能となると開示されている。また、第１および第２の排紙トレイを装置本体から出張ることなく収容できると開示されている。
【００１３】
特開平２−１３２０１９号公報においては、供給された転写材に画像を転写し定着させ排出する装置本体と、装置本体の転写材供給孔に転写材を載置するため回動自在に設けた供給トレイと、装置本体の転写材排出口に排出された転写材を載置するため回動自在に設けた排出トレイと、両トレイを回動して装置本体へ向かって折りたたんだ状態で装置本体を持ち運ぶための把手と、を有する画像形成装置が開示されている。両トレイは、折たたんだ状態で互いに先端部が重なる長さを有し、両先端部に互いを固定するための固定手段を設けている。この画像形成装置によれば、装置本体を持ち運ぶ際に両トレイを装置本体から取外す必要がなく、両トレイが折りたたんだ状態から外れてしまうことを防止できると開示されている。
【００１４】
特開平１１−３５２１２号公報においては、ファクシミリ装置を運搬する際に排紙トレイを突出位置から装置本体の側壁に対して近接した位置まで回動させてロック状態にする用紙受け構造が開示されている。排紙トレイをロック状態にすることにより、排紙トレイが運搬作業者の邪魔にならないようにすることができると開示されている。
【特許文献１】特開平３−１３８２５９号公報
【特許文献２】特開平２−１３２０１９号公報
【特許文献３】特開平１１−３５２１２号公報
【発明の開示】
【発明が解決しようとする課題】
【００１５】
プリンタ装置などに配置される用紙トレイが、主トレイに加えて補助トレイを備えることにより、大型の被印刷物を用いた場合にも、用紙トレイの表面に安定して被印刷物を載置することができる。
【００１６】
しかし、補助トレイが回動可能に主トレイに固定されている用紙トレイにおいては、補助トレイが搬送時にがたつくことがあるという問題があった。たとえば、プリンタ装置が用紙トレイの被印刷物の載置面が下側を向くように梱包材に梱包される場合には、補助トレイが重力により主トレイから展開してしまい、搬送時にガタガタ音がする場合があるという問題があった。
【００１７】
または、たとえば、プリンタ装置の設置場所を変更するときに、運搬中に用紙トレイの補助トレイが展開してしまい、運搬の妨げになる場合があるという問題があった。
【００１８】
本発明は、補助トレイが回動する用紙トレイにおいて、補助トレイを収容位置に固定することができる用紙トレイおよびこれを備えたプリンタ装置を提供することを目的とする。
【課題を解決するための手段】
【００１９】
本発明に基づくプリンタ装置は、装置本体と、上記装置本体から外側に向かって一の側に飛び出すように形成された排紙トレイとを備える。上記排紙トレイは、主トレイと、上記主トレイの上記一の側の端部の一部を含む位置に配置された補助トレイとを備える。上記主トレイは、主表面から凹むように形成され、上記補助トレイを内側に配置するための収容部を有する。上記主トレイは、上記収容部の上記一の側と反対側の端部に、上記反対側に向かって凹む凹部を有する。上記補助トレイは、上記凹部に嵌合するように形成された凸部を有する。上記補助トレイは、端部に形成された回動軸を有する。上記主トレイは、上記一の側の端部に上記回動軸を挿入するための開口部を有する。上記主トレイは、上記開口部に配置され、上記回動軸を支持するための支持部を含む。上記支持部は、上記回動軸の形状に沿うように断面形状が略半円状に形成された係合部と、上記主トレイの本体から延びるように形成され、上記係合部を支持する延在部とを有する。上記支持部は、上記略半円状の開口が上記開口部の内側に向かって配置されている。上記支持部は、上記開口部の外側に向かって湾曲可能に形成されている。上記開口部は、上記開口部の内面と上記支持部の外面とで上記回動軸を支持できるように形成されている。上記補助トレイを上記収容部に収容するときには、上記回動軸が上記係合部に配置され、上記凹部に上記凸部が嵌合することによって上記補助トレイが上記主トレイに固定されるように形成されている。上記補助トレイを展開するときには、上記補助トレイを上記一の側に向かって平行移動させることにより、上記凸部が上記凹部から脱し、さらに、上記回動軸が上記係合部から離れて上記内面と上記外面との間に配置され、上記補助トレイが回動するように形成されている。
【００２０】
本発明に基づく用紙トレイは、装置本体から外側に向かって一の側に飛び出すように配置される主トレイと、回動可能に上記主トレイに支持された補助トレイとを備える。上記補助トレイは、端部に形成された回動軸を有する。上記補助トレイは、上記回動軸が形成された側と反対側の端部に形成された第１嵌合部を有する。上記主トレイは、上記第１嵌合部に嵌合するように形成された第２嵌合部を有する。上記第２嵌合部は、上記補助トレイの主表面と上記主トレイの主表面とが略平行になる状態で、上記補助トレイを上記一の側と反対側に移動することにより上記第１嵌合部に嵌合するように形成されている。上記主トレイは、上記一の側の端部に形成され、上記回動軸を支持するための第１支持手段を含む。上記主トレイは、上記第１支持手段よりも上記一の側に形成され、上記回動軸を支持するための第２支持手段を含む。上記第１支持手段は、上記第１嵌合部が上記第２嵌合部に嵌合した状態で上記回動軸を支持するように配置されている。上記第２支持手段は、上記第１嵌合部が上記第２嵌合部から離れた状態で上記回動軸を支持するように配置されている。上記第１支持手段と上記第２支持手段との間を、上記回動軸が往来可能に形成されている。
【００２１】
上記発明において好ましくは、上記主トレイは、上記回動軸を挿入するための開口部を含む。上記第１支持手段は、上記回動軸を支持するための支持部を含む。上記第２支持手段は、上記開口部の内面および上記支持部の外面を含む。上記支持部は、上記開口部の内側に配置されている。上記支持部は、上記開口部の外側に向かって湾曲するように弾性を有する。
【００２２】
上記発明において好ましくは、上記支持部は、断面形状が略半円状の係合部を有する。上記主トレイの本体から延びるように形成され、上記係合部を支持する延在部を有する。上記支持部は、上記略半円状の開口が上記開口部の内側に向かうように配置されている。
【００２３】
上記発明において好ましくは、上記主トレイは、主表面から凹むように形成され、上記補助トレイを内側に配置するための収容部を有する。上記第１嵌合部は、上記反対側に向かって突出する凸部を有する。上記第２嵌合部は、上記収容部の上記反対側の端部に、上記反対側に向かって凹む凹部を有する。
【００２４】
上記発明において好ましくは、上記回動軸は、断面形状が楕円になるように形成されている。上記回動軸は、上記主トレイの主表面と上記補助トレイの主表面とがほぼ平行な状態で、上記楕円の短軸が上記主トレイの主表面と略平行になるように形成されている。
【００２５】
上記発明において好ましくは、上記補助トレイは、貫通穴を有する。上記主トレイは、上記主トレイの主表面と上記補助トレイの主表面とがほぼ平行な状態で、上記貫通穴の位置に対応するように形成された窪み部を有する。
【発明の効果】
【００２６】
本発明によれば、補助トレイが回動する用紙トレイにおいて、補助トレイを収容位置に固定することができる用紙トレイおよびこれを備えたプリンタ装置を提供することができる。
【発明を実施するための最良の形態】
【００２７】
図１から図１１を参照して、本発明に基づく実施の形態における用紙トレイおよびこれを備えたプリンタ装置について説明する。
【００２８】
図１１に、本実施の形態におけるプリンタ装置の斜視図を示す。プリンタ装置は、装置本体４を備える。装置本体４の内部には、たとえば、インクジェットヘッドが配置され、インクジェットヘッドから紙などの被印刷物に向けてインクが吐出されることにより印刷が行なわれる。
【００２９】
プリンタ装置は、用紙トレイとしての給紙トレイ５および用紙トレイとしての排紙トレイ４１を備える。プリンタ装置は、紙などの被印刷物を装置本体に搬入するための給紙トレイ５を備える。給紙トレイ５は、主表面が鉛直方向に対して傾斜するように配置されている。給紙トレイ５は、矢印５３に示すように、装置本体４に着脱可能に形成されている。
【００３０】
プリンタ装置は、印刷された被印刷物を載置するための排紙トレイ１を備える。排紙トレイ１は、主表面が水平方向とほぼ平行になるように配置される。排紙トレイ１は、矢印５４に示すように、装置本体に着脱可能に形成されている。本実施の形態においては、用紙トレイのうち排紙トレイを例に採り挙げて説明する。
【００３１】
排紙トレイ１は、装置本体から外側に向かって一の側に飛び出すように配置される。矢印５７に示す向きが、一の側である。被印刷物は、矢印５７に示す向きに装置本体から送り出され、排紙トレイ１の主表面に載置される。
【００３２】
図１に、本実施の形態における排紙トレイの第１の斜視図を示す。排紙トレイ１は、主トレイ２を備える。主トレイ２は、板状に形成されている。排紙トレイ１は、補助トレイ３を備える。補助トレイ３は、主トレイ２の矢印５７に示す一の側の端部の一部を含む位置に配置されている。補助トレイ３は、板状に形成されている。補助トレイ３は、主トレイ２の外側の端部の幅方向を回動軸として、回動可能に形成されている。
【００３３】
排紙トレイ１は、主トレイ２の主表面から突出するように形成された突起部２１を有する。突起部２１は、主トレイ２の矢印５７に示す一の側と反対側の端部に配置されている。突起部２１は、装置本体に形成された係止部に引掛かるように形成されている。排紙トレイ１は、突起部２１が、装置本体の係止部に引掛かることに装置本体に固定される（図１１参照）。
【００３４】
図２に、本実施の形態における主トレイの斜視図を示す。図１および図２を参照して、主トレイ２は、補助トレイを収容するための収容部２２を有する。収容部２２は、内側に補助トレイを配置することができるように形成されている。収容部２２は、主トレイ２の主表面から凹むように形成されている。収容部２２は、補助トレイの外形に沿うように形成されている。本実施の形態における収容部２２は、平面形状がほぼ長方形になるように形成されている。
【００３５】
収容部２２の底面には窪み部２８が形成されている。窪み部２８は、収容部２２の底面から窪むように形成されている。図１を参照して、窪み部２８は、主トレイの主表面と補助トレイの主表面とがほぼ平行な状態で、補助トレイ３の貫通穴３４の位置に対応するように形成されている。窪み部２８は、補助トレイ３を収容したときの貫通穴３４の位置に対応するように形成されている。
【００３６】
主トレイ２は、矢印５７に示す一の側の端部に、補助トレイ３の回動軸を挿入するための開口部２６を有する。収容部２２の底面において、一の側の端部には、切欠き部２４が形成されている。切欠き部２４は、収容部２２の幅方向の両端に形成されている。
【００３７】
主トレイ２は、収容部２２の矢印５７に示す一の側と反対側である端部に凹部２３を有する。すなわち、収容部２２の装置本体に向かう側の端面に凹部２３を有する。凹部２３は、一の側と反対側に向かって凹むように形成されている。凹部２３は、後述する補助トレイに形成された第１嵌合部に勘合する第２嵌合部として形成されている。
【００３８】
主トレイ２は、開口部２６を有する。開口部２６は、収容部２２の側面のうち一の側の端部に形成されている。主トレイ２は、開口部２６に形成され、補助トレイの回動軸を支持するための支持部２７を有する。
【００３９】
主トレイ２は、ストッパ部２５を有する。ストッパ部２５は、収容部２２の矢印５７に示す一の側の端部に形成されている。ストッパ部２５は、補助トレイを展開したときに、補助トレイのストッパ部と係合して、補助トレイ３の開度が定まるように形成されている。本実施の形態におけるストッパ部２５は、直方体状に形成されている。
【００４０】
図３に、本実施の形態における補助トレイの斜視図を示す。補助トレイ３は、回動軸３１を有する。回動軸３１は、補助トレイ３の一の側の端部に形成されている。回動軸３１は、補助トレイ３の側面に形成されている。回動軸３１は、補助トレイ３の幅方向に突出するように形成されている。
【００４１】
回動軸３１は、断面形状が楕円になるように形成されている。回動軸３１は、補助トレイ３を主トレイ２の収容部に収容したときに、楕円の短径が主トレイ２の主表面とほぼ平行になるように形成されている。回動軸３１としては、この形態に限られず、たとえば、断面形状が円や四角形であっても構わない。
【００４２】
補助トレイ３は、貫通穴３４を有する。貫通穴３４は、主トレイ２の収容部２２に形成された窪み部２８に対応する位置に形成されている。貫通穴３４は、補助トレイ３を主トレイ２に収容したときに、窪み部２８の少なくとも一部が貫通穴３４を通して露出するように形成されている。本実施の形態における貫通穴３４は、補助トレイ３の幅方向の略中央に形成されている。
【００４３】
補助トレイ３は、回動軸３１が形成されている側の端面に形成されたストッパ部３２を有する。ストッパ部３２は、補助トレイ３の端面の一部を切り欠くように形成されている。ストッパ部３２は、主トレイ２に形成されたストッパ部２５の長手方向の長さよりも長くなるように形成されている。
【００４４】
補助トレイ３は、第１嵌合部としての凸部３３を有する。凸部３３は、回動軸が形成されている側と反対側の端部に形成されている。凸部３３は、主トレイ２に形成された凹部２３に嵌合するように形成されている。
【００４５】
図４に、主トレイの開口部の部分の第１の拡大断面図を示す。図４は、図１におけるＩＶ−ＩＶ線に関する矢視断面図である。
【００４６】
本実施の形態においては、補助トレイの回動軸３１を支持するための第１支持手段として、支持部２７を有する。また、補助トレイの回動軸３１を支持するための第２支持手段として、開口部２６の内面３５および支持部２７の外面３６を有する。第２支持手段は、第１支持手段よりも矢印５７に示す一の側に配置されている。
【００４７】
開口部２６は、長穴の形状に形成されている。開口部２６は、一の側に向かう方向に延びるように形成されている。すなわち、開口部２６は、装置本体から外側に向かう方向に延びるように形成されている。開口部２６は、断面形状において、一の側の内面３５が円弧状に形成されている。
【００４８】
開口部２６の内側には、支持部２７が形成されている。支持部２７は、断面形状はほぼ半円状の係合部２７ａを有する。係合部２７ａは、補助トレイの回動軸３１を支持することができるように形成されている。係合部２７ａは、回動軸３１の形状に沿うように形成されている。係合部２７ａは、ほぼ半円状の開口が開口部２６の内側に向かうように配置されている。
【００４９】
支持部２７は、主トレイ２の本体から延びるように形成され、係合部２７ａを支持するように形成された延在部２７ｂを有する。延在部２７ｂは、主トレイ２の主表面とほぼ平行に延びるように形成されている。支持部２７は、開口部２６の外側に向かって湾曲するように形成されている。支持部２７は、矢印５８に示す方向に係合部２７ａが移動可能に形成されている。本実施の形態においては、延在部２７ｂが弾性を有し、湾曲するように形成されている。
【００５０】
開口部２６および支持部２７は、支持部２７の外面３６と開口部２６の内面３５とで、回動軸３１を支持することができるように形成されている。開口部２６および支持部２７は、矢印５６に示すように、回動軸３１が第１支持手段と第２支持手段との間を往来できるように形成されている。
【００５１】
本実施の形態における回動軸３１は、補助トレイを主トレイの収容部に収容したときに、断面形状の楕円の短軸が補助トレイ３の主表面とほぼ平行になるように形成されている。支持部２７の係合部２７ａは、回動軸３１の形状に沿うように形成されている。この構成により、回動軸３１を支持部２７で強く支持することができる。すなわち、回動軸３１が、容易に支持部２７による拘束状態から外れてしまうことを抑制できる。
【００５２】
図５に、主トレイおよび補助トレイの第１の断面図を示す。図５は、図１におけるＶ−Ｖ線に関する矢視断面図である。図５は、補助トレイを主トレイに収容したときの断面図である。
【００５３】
補助トレイ３の凸部３３と主トレイ２の凹部２３とが嵌合している。本実施の形態における用紙トレイを搬送するときには、補助トレイを収容状態にする。収容状態においては、図１および図５に示すように、主トレイ２の主表面と補助トレイ３の主表面とがほぼ同一平面状になる。また、主トレイ２のプリンタ装置の外側の端面と、補助トレイ３のプリンタ装置の外側の端面とはほぼ同一平面状である。
【００５４】
図４に示すように、収容状態においては、補助トレイ３の回動軸３１が、支持部２７に支持されている。回動軸３１は、係合部２７ａの断面形状である半円状の形状に沿って支持されている。このため、回動軸３１が、矢印５６に示す回動軸の移動方向に移動することを抑制することができる。すなわち、支持部２７で回動軸３１を拘束することができる。
【００５５】
図５に示すように、収容状態においては、補助トレイ３の凸部３３が主トレイ２の凹部２３に嵌合している。このため、補助トレイ３が回動して展開することを防止できる。
【００５６】
図６に、本実施の形態における排紙トレイの第２の斜視図を示す。補助トレイ３を回動して展開するときには、初めに、矢印５１に示すように、補助トレイ３を移動させる。補助トレイ３を主トレイ２に固定された収容状態から解除状態にする。補助トレイ３は、装置本体の外側に向かって平行移動する。主トレイ２の端面よりも、補助トレイ３の端面が飛び出す。
【００５７】
このときに、補助トレイ３に貫通穴３４が形成され、主トレイ２に貫通穴３４に対応するように窪み部２８が形成されていることによって、手で、貫通穴３４を引掛けながら、容易に補助トレイ３を平行移動させることができる。
【００５８】
図７に、主トレイの開口部の部分の第２の拡大断面図を示す。補助トレイを外側に向かって平行移動することにより、回動軸３１は、矢印５１に示す一の側に向かって移動する。補助トレイの回動軸３１は、支持部２７の係合部２７ａから離れる。回動軸３１は、開口部２６の内面３５と支持部２７の外面３６とに支持される。回動軸３１は、主に、開口部２６の断面形状において、一の側の円弧状の内面３５に支持される。
【００５９】
図８に、主トレイおよび補助トレイの第２の断面図を示す。図８は、図１におけるＶ−Ｖ線に対応する部分の断面図である。
【００６０】
補助トレイ３を矢印５１に示す向きに移動させることにより、補助トレイ３の凸部３３が、主トレイ２の凹部２３から離れる。主トレイ２の主表面と補助トレイ３の主表面とが略平行の状態のまま平行移動する。凸部３３と凹部２３との嵌合が解除される。次に、矢印５９に示すように、補助トレイ３を回動することにより展開する。補助トレイ３は、回動軸３１を軸として回動する。回動軸は、開口部２６の内面３５と係合部２７ａの外面３６とに支持されたままの状態である（図７参照）。
【００６１】
図９に、本実施の形態における排紙トレイの第３の斜視図を示す。図９は、補助トレイを展開したときの斜視図である。
【００６２】
本実施の形態における補助トレイ３は、矢印５２に示すように展開する。補助トレイ３は、補助トレイ３の裏側の表面と主トレイ２の主表面とがほぼ平行になるよるまで回動する。補助トレイ３のストッパ部３２が、主トレイ２のストッパ部２５に接触することによって回動動作が規制される。このように、主トレイ２に対して補助トレイ３を展開することができ、用紙トレイを平面視したときの面積を大きくすることができる。
【００６３】
本実施の形態における用紙トレイは、主トレイが回動軸を支持するための第１支持手段および第２支持手段を含み、第１支持手段は、第１嵌合部が第２嵌合部に嵌合した状態で、回動軸を支持するように配置されている。第２支持手段は、第１嵌合部が第２嵌合部から外れた状態で、回動軸を支持するように配置されている。第１支持手段と第２支持手段との間を、回動軸が往来可能に形成されている。この構成により、補助トレイを平行移動させて、補助トレイの固定状態を容易に解除することができる。このためプリンタ装置を搬送したり、または、用紙トレイのみを搬送したりするときには、補助トレイを主トレイに固定しておくことができる。また、使用時には固定状態を容易に解除することができ、平面視したときの用紙トレイの大きさを容易に大きくすることができる。
【００６４】
また、本実施の形態における第１支持手段は、回動軸を支持するための支持部を含む。第２支持手段は、主トレイの開口部の内面および支持部の外面を含む。支持部は、開口部の外側に向かって湾曲するように弾性を有する。この構成により、簡易な構成で上記の第１支持手段および第２支持手段を形成することができる。
【００６５】
本実施の形態における支持部は、断面形状がほぼ半円状の係合部と、主トレイの本体から延びるように形成され、係合部を支持するための延在部とを有する。この構成により、上記支持部の構成を簡易なものにすることができる。
【００６６】
第１支持手段および第２支持手段は、この形態に限られず、第１支持手段が、補助トレイを収容した状態で回動軸を支持するように形成され、第２支持手段が、補助トレイの固定を解除した状態で回動軸を支持するように形成されていれば構わない。
【００６７】
図１０に、本実施の形態における他の主トレイの開口部の部分の断面図を示す。主トレイ６は、開口部３０を有する。主トレイ６は、主トレイ６の本体から延びるように形成された第１支持手段としての支持部２７を備える。主トレイ６は、本体から延びるように形成された第２支持手段としての支持部２９を有する。
【００６８】
支持部２９は、断面形状が半円状に形成された係合部２９ａを有する。支持部２９は、主トレイ６の本体から延びるように形成された延在部２９ｂを有する。支持部２９は、開口部３０の外側に向かって弾性を有する。延在部２９ｂは、弾性を有する。延在部２９ｂは、矢印５８に示すように、係合部２９ａが開口部３０の外側に向かって移動するように湾曲可能に形成されている。このように、第２支持手段と第１支持手段とがほぼ同じ構成を有していても構わない。
【００６９】
本実施の形態においては、補助トレイは、第１嵌合部として凸部を有し、主トレイは、第１嵌合部に勘合する第２嵌合部として凹部を有する。この構成により、第１嵌合部および第２嵌合部を容易に形成することができる。第１嵌合部および第２嵌合部としては、この形態に限られず、補助トレイを収容状態にするときに、第１嵌合部および第２嵌合部が互いに嵌合することにより、補助トレイが展開しないように形成されていれば構わない。
【００７０】
たとえば、補助トレイに、第１嵌合部として補助トレイの端面から突出する第１棒状部が形成され、主トレイに、第２嵌合部として第１棒状部材の一部を挿入するための挿入穴が形成されていても構わない。
【００７１】
本実施の形態においては、用紙トレイのうち排紙トレイを例に採りあげて説明したが、この形態に限られず、給紙トレイにおいても本願発明を適用することができる。また、本実施の形態においては、プリンタ装置を例に採りあげて説明したが、この形態に限られず、紙などの被印刷物を装置本体に供給したり排出したりすることのできる装置に本発明を適用することができる。たとえば、ファックス装置に取付けられた用紙トレイに、本発明を適用することができる。
【００７２】
上記の実施の形態に係るそれぞれの図面において、同一または相当する部分には、同一の符号を付している。
【００７３】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００７４】
【図１】実施の形態における排紙トレイの第１の斜視図である。
【図２】実施の形態における主トレイの斜視図である。
【図３】実施の形態における補助トレイの斜視図である。
【図４】実施の形態における主トレイの開口部の部分の第１の拡大断面図である。
【図５】実施の形態における主トレイと補助トレイとの第１の断面図である。
【図６】実施の形態における排紙トレイの第２の斜視図である。
【図７】実施の形態における主トレイの開口部の部分の第２の拡大断面図である。
【図８】実施の形態における主トレイと補助トレイとの第２の断面図である。
【図９】実施の形態における排紙トレイの第３の斜視図である。
【図１０】実施の形態における他の主トレイの開口部の部分の断面図である。
【図１１】実施の形態におけるプリンタ装置の斜視図である。
【図１２】従来の技術に基づくプリンタ装置の斜視図である。
【図１３】従来の技術に基づく排紙トレイの斜視図である。
【符号の説明】
【００７５】
１  排紙トレイ、２，６  主トレイ、３  補助トレイ、４  装置本体、５  給紙トレイ、２１  突起部、２２  収容部、２３  凹部、２４  切欠き部、２５  ストッパ部、２６，３０  開口部、２７，２９  支持部、２７ａ，２９ａ  係合部、２７ｂ，２９ｂ  延在部、２８  窪み部、３１  回動軸、３２  ストッパ部、３３  凸部、３４  貫通穴、３５  内面、３６  外面、４１  排紙トレイ、４２  主トレイ、４３  補助トレイ、４４  突起部、４５  収容部、５１〜５９  矢印。
【図１】
2007186293.tif 000003
【図２】
2007186293.tif 000004
【図３】
2007186293.tif 000005
【図４】
2007186293.tif 000006
【図５】
2007186293.tif 000007
【図６】
2007186293.tif 000008
【図７】
2007186293.tif 000009
【図８】
2007186293.tif 000010
【図９】
2007186293.tif 000011
【図１０】
2007186293.tif 000012
【図１１】
2007186293.tif 000013
【図１２】
2007186293.tif 000014
【図１３】
2007186293.tif 000015